(57)【要約】　　　（修正有）【課題】工期の短縮や、それに伴う施工コストの低減が可能な低温地下式貯槽の側壁部構造および施工方法を提供する。【解決手段】地中連続壁１の内周面と、該地中連続壁の内周面よりも内側に設けられた保冷パネル３の外周面との間に打設されたコンクリートからなることを特徴とする低温地下式貯槽の側壁部構造であり、地中連続壁の内周面よりも内側に保冷パネルを設け、前記地中連続壁の内周面と、前記保冷パネルの外周面との間にコンクリートを打設することを特徴とする低温地下式貯槽の側壁部施工方法である。【選択図】　　　　　図１
2004084703.tif 000002
【特許請求の範囲】
【請求項１】
地中連続壁の内周面と、該地中連続壁の内周面よりも内側に設けられた保冷パネルの外周面との間に打設されたコンクリートからなることを特徴とする低温地下式貯槽の側壁部構造。
【請求項２】
地中連続壁の内周面よりも内側に保冷パネルを設け、前記地中連続壁の内周面と、前記保冷パネルの外周面との間にコンクリートを打設することを特徴とする低温地下式貯槽の側壁部施工方法。
【請求項３】
地中連続壁の内周面と、保冷パネルの外周面とを所定の間隔に設定するためのセパレータを、保冷パネルの目地部に設けることを特徴とする請求項２に記載の低温地下式貯槽の側壁部施工方法。
【請求項４】
コンクリートの打設前に、保冷パネルの外周面側に設けたセパレータと、前記保冷パネルの内周面側に設けた仮設の型枠とにより、前記保冷パネルを挟んで保持することを特徴とする請求項３に記載の低温地下式貯槽の側壁部施工方法。
【発明の詳細な説明】
【０００１】
【発明の属する技術分野】
本発明は、低温地下式貯槽の側壁部の構造および施工方法に関する。
【０００２】
【従来の技術】
一般に、ＬＮＧやＬＰＧ用の貯槽として多く使用されている低温地下式貯槽は、図６に示すように、地中に設けられたコンクリート製躯体５１の内面に保冷材層５２を取り付け、さらにその内面を液密性と気密性を有するＳＵＳ３０４等の金属製のメンブレン５３で被覆して側壁部および底部を構成し、その側壁部の上部に常温用鋼板製のドーム型屋根５４を設け、この屋根５４の内面から吊り下げ部材５５を用いてアルミニウム製の吊りデッキ５６を水平に吊り下げ、その吊りデッキ５６の上面全体にグラスウール等の保冷材層５７を設けた構造が採用されている。
【０００３】
上述のような低温地下式貯槽のコンクリート製躯体５１の側壁部を施工する手順として、従来は、まず地中に連続壁を構築して内部の土砂を排出し、この連続壁の内側に、連続壁内周面との間隔を設定するセパレータを介して、図５（ａ）に示すような本設セグメントか、または図５（ｂ）に示すような仮設型枠を設けた後、連続壁を外型枠とし、この本設セグメントまたは仮設型枠を内型枠として、それらによって囲まれた空間にコンクリートを打設していた。そして、このコンクリート打設後に、本設セグメントの内周面または仮設型枠を取り外した打設コンクリートの内周面に沿って、コンクリート部にアンカーによって保持される保冷パネルを設置していた。
【０００４】
【発明が解決しようとする課題】
しかしながら、上述のような従来の施工方法では、コンクリートの打設完了後に保冷パネルの設置を行うため、工期が長くかかり、その分施工コストもかさんでいた。
【０００５】
本発明は、このような問題点の解決を図ろうとするもので、工期の短縮や、それに伴う施工コストの低減が可能な低温地下式貯槽の側壁部構造および施工方法を提供することを目的としている。
【０００６】
【課題を解決するための手段】
このような目的を達成するため、本発明は次のような構成を有する。
（１）地中連続壁の内周面と、該地中連続壁の内周面よりも内側に設けられた保冷パネルの外周面との間に打設されたコンクリートからなることを特徴とする低温地下式貯槽の側壁部構造。
（２）地中連続壁の内周面よりも内側に保冷パネルを設け、前記地中連続壁の内周面と、前記保冷パネルの外周面との間にコンクリートを打設することを特徴とする低温地下式貯槽の側壁部施工方法。
（３）地中連続壁の内周面と、保冷パネルの外周面とを所定の間隔に設定するためのセパレータを、保冷パネルの目地部に設けることを特徴とする前項（２）に記載の低温地下式貯槽の側壁部施工方法。
（４）コンクリートの打設前に、保冷パネルの外周面側に設けたセパレータと、前記保冷パネルの内周面側に設けた仮設の型枠とにより、前記保冷パネルを挟んで保持することを特徴とする前項（３）に記載の低温地下式貯槽の側壁部施工方法。
【０００７】
【発明の実施の形態】
以下、本発明の実施形態を図面に基づいて説明する。
【０００８】
図１は、本発明に係る低温地下式貯槽の側壁部構造の一実施形態を示す縦断面図であり、図２は、図１のＩＩ−ＩＩ線に沿う矢視図である。図３は、本発明に係る型枠の一実施形態を示す平面図であり、図４は、図１のＩＶ部の詳細図である。
【０００９】
図１において、１は、地中連続壁、２は、側壁、３は、保冷パネル、４は、型枠、５は、セパレータである。
【００１０】
前記地中連続壁１は、その外形寸法に沿って地中を掘削し、掘削土砂を泥水とともに排出しながら、掘削された部分にコンクリートを流し込むことにより構築され、土留と止水の機能を有する。この地中連続壁１を構築し、所要強度が発現した後、その内周面よりも内側の土砂を排出し、地中に、上端面が開口した筒状の空間を形成する。
【００１１】
前記側壁２は、前記地中連続壁１の内周面側に打設されたコンクリートからなる。
【００１２】
前記保冷パネル３は、断熱材を組み込んだ平板状または曲板状の部材からなり、前記地中連続壁１の内周面側に、前記側壁２の厚さの分だけ隔てられた位置において組み立てられる。前記側壁２を、コンクリートの打設により構築するのに際して、前記地中連続壁１の内周面が外型枠となり、この保冷パネル３の外周面が内型枠となる。なお、この保冷パネル３は、低温地下式貯槽の完成後は、貯蔵されるＬＮＧ等を一定温度に保持するための断熱層を形成する。
【００１３】
前記型枠４は、形鋼等により構成され、前記保冷パネル３の内周面側において組み立てられるもので、保冷パネル３および打設時のコンクリートを保持するための仮設のフレームである。
【００１４】
図３では、１２枚の保冷パネル３を保持する型枠４の一実施例を示している。
【００１５】
前記セパレータ５は、図２に示すように、保冷パネル３の目地部に配置され、長ボルト等で構成されている。このセパレータ５は、所定の位置に保冷パネル３を保持する機能を有している。
【００１６】
次に、上述のように構成された本発明に係る低温地下式貯槽の側壁部構造を施工する手順の例について説明する。
【００１７】
図１および図２に示すように、地中に構築された連続壁１の内周面側に、図３に示すような仮設の型枠４に複数枚の保冷パネル３を取り付けたものを設置する。この図３の例では、点線で示すような保冷パネル３が１２枚取り付けられている。
【００１８】
これらの保冷パネル３を、その目地部に配置されたセパレータ５により、連続壁１と所定の間隔をおいて固定する。
【００１９】
図４に示すように、この固定のため、長ボルトからなるセパレータ５の一端を、連続壁１に埋め込み、他端を、位置決め用プレート７に溶接等により垂直に取り付けられた長ナット６ａにねじ込む。
【００２０】
さらに、上記の位置決め用プレート７の反対面に、上記の長ナット６ａと同軸に、長ナット６ｂを溶接等により取り付け、この長ナット６ｂにスタッドボルト８をねじ込む。
【００２１】
上述のように、セパレータ５と同軸上にあるこのスタッドボルト８は、隣接する保冷パネル３の目地部に位置している。この隣接する保冷パネル３を、位置決め用プレート７と型枠４とで挟み、この型枠４を貫通させたスタッドボルト８の先端の六角ナット９で締め付けて固定する。
【００２２】
なお、上記の隣接する保冷パネル３どうしの間隔は比較的大きいため、適宜スペーサ金物１０を設置して保冷パネル３のずれを防止する。
【００２３】
また、保冷パネル３の外周面および外周面側の目地部は、コンクリートの打設に備えて、防水処理を施しておく。
【００２４】
上述のような準備作業を行った後、地中連続壁１の内周面を外型枠、保冷パネル３の外周面を内型枠として、その間にコンクリートを打設する。打設完了後、型枠４、スタッドボルト８、六角ナット９およびスペーサ金物１０をはずし、次の部分の施工に移る。
【００２５】
このようにして、保冷パネル３を取り付けた型枠４を繰り返し用いて、側壁部のコンクリートを下から順に巻き立て、構築することにより、側壁部のコンクリート打設と保冷パネルの設置とが同時に行えることになる。
【００２６】
【発明の効果】
以上に述べた本発明によれば、従来、段階的に行っていた低温地下式貯槽の側壁部のコンクリート打設と保冷パネルの設置とが同時に行えることになり、工期の短縮と、それに伴う施工コストの削減が可能となる。
【図面の簡単な説明】
【図１】本発明に係る低温地下式貯槽の側壁部構造の一実施形態を示す縦断面図
【図２】図１のＩＩ−ＩＩ線に沿う矢視図
【図３】本発明に係る型枠の一実施形態を示す平面図
【図４】図１のＩＶ部の詳細図
【図５】従来の低温地下式貯槽の側壁部構造を示す縦断面図
【図６】一般的な低温地下式貯槽の全体構造を示す縦断面図
【符号の説明】
１　　地中連続壁
２　　側壁
３　　保冷パネル
４　　型枠
５　　セパレータ
６ａ　長ナット
６ｂ　長ナット
７　　プレート
８　　スタッドボルト
９　　六角ナット
１０　　スペーサ金物
５１　　コンクリート製躯体
５２　　保冷材層
５３　　メンブレン
５４　　（ドーム型）屋根
５５　　吊り下げ部材
５６　　吊りデッキ
５７　　保冷材層
【図１】
2004084703.tif 000003
【図２】
2004084703.tif 000004
【図３】
2004084703.tif 000005
【図４】
2004084703.tif 000006
【図５】
2004084703.tif 000007
【図６】
2004084703.tif 000008